(57)【特許請求の範囲】
【請求項１】
略直方体の筐体と、略Ｌ字型に形成され、前記筐体の一方の側面部の内側及び前記筐体の背面部の内側に沿って配設された熱交換器と、前記熱交換器を前記筐体に固定する固定具とを備え、
前記筐体は、
当該筐体の一方の側面部を構成するとともに、当該筐体の前面部側に一部が延びた側面パネルと、
当該筐体の前面部を前記側面パネルの一部とともに構成する前面パネルと、
を備え、
前記前面パネルは、その端部が前記筐体の前面部側において前記側面パネルの端部と結合され、
前記側面パネルは、その前記一方の側面部を構成する部分に複数の吸入口が形成され、
前記固定具は、前記熱交換器を前記前面パネルに固定し、
前記複数の吸入口のうち、最も前記前面部側に設けられた吸入口の前側端部は、複数の前記熱交換器の中で最も前記前面部側に位置する熱交換器の前記前面部側の端部の位置よりも、側面視において前記前面部側に設けられる
ことを特徴とする空気調和機の室外機。
【請求項２】
前記固定具は、前記前面パネルの端部と前記側面パネルの端部との結合部分と、前記熱交換器の前面部側の端部との間に介在する
ことを特徴とする請求項１記載の空気調和機の室外機。
【請求項３】
前記前面パネルは、その端部が前記側面パネルの端部と重複した状態で当該側面パネルの端部と結合され、
前記固定具は、平面視において、前記前面パネルの端部と前記側面パネルの端部との結合位置とほぼ同じ位置で、前記熱交換器を前記前面パネルに固定する
ことを特徴とする請求項１又は請求項２記載の空気調和機の室外機。
【請求項４】
略直方体の筐体と、略Ｌ字型に形成され、前記筐体の一方の側面部の内側及び前記筐体の背面部の内側に沿って配設された熱交換器と、前記熱交換器を前記筐体に固定する固定具とを備え、
前記筐体は、
当該筐体の一方の側面部の一部を構成するとともに、当該筐体の前面部側に一部が延びた第１の側面パネルと、
前記第１の側面パネルよりも該筐体の後方側に配設され、該筐体の一方の側面部の一部を少なくとも構成する第２の側面パネルと、
当該筐体の前面部を前記第１の側面パネルの一部とともに構成する前面パネルと、
を備え、
前記前面パネルは、その端部が前記筐体の前面部側において前記第１の側面パネルの端部と結合され、
前記第１の側面パネルと前記第２の側面パネルとの間に吸入口が形成され、
前記固定具は、前記前面パネルの端部と前記第１の側面パネルの端部との結合部分と、前記熱交換器の前面部側の端部との間に介在し、前記熱交換器を前記前面パネルに固定する
ことを特徴とする空気調和機の室外機。
【請求項５】
前記前面パネルは、その端部が前記第１の側面パネルの端部と重複した状態で当該第１の側面パネルの端部と結合され、
前記固定具は、平面視において、前記前面パネルの端部と前記第１の側面パネルの端部との結合位置とほぼ同じ位置で、前記熱交換器を前記前面パネルに固定する
ことを特徴とする請求項４記載の空気調和機の室外機。
【請求項６】
前記熱交換器は、複数個設けられており、
複数の前記熱交換器は、並設され、
前記固定具は、
複数の前記熱交換器のうち、最も前記筐体の前面部側に設けられている熱交換器の前面部側の端部と前記前面パネルの端部との間に介在し、当該熱交換器を前記前面パネルに固定し、
当該熱交換器が前記固定具を介して前記筐体の前面部で取り付けられる位置は、熱交換器の数に関わらず、同じ位置である
ことを特徴とする請求項１〜５のいずれか一項に記載の空気調和機の室外機。
【請求項７】
前記第１の側面パネルは、複数の吸入口を備え、
前記複数の吸入口のうち、最も前記前面部側に設けられた吸入口の前側端部は、複数の前記熱交換器の中で最も前記前面部側に位置する熱交換器の前記前面部側の端部の位置よりも、側面視において前記前面部側に設けられる
ことを特徴とする請求項４、５又は請求項４若しくは５に従属する請求項６のいずれか一項に記載の空気調和機の室外機。
【発明の詳細な説明】
【技術分野】
【０００１】
本発明は、空気調和機の室外機に関するものである。
【背景技術】
【０００２】
近年、高性能、大能力化された分離型空気調和機の普及が著しくなっている。この分離型空気調和機の室外機には、配置スペースを有効活用するために、筐体に合わせてＬ字型に加工された熱交換器が搭載されている。
従来この種の室外機では、例えば室外機を構成する筐体の左側面部に設けられた起立片と、Ｌ字型の熱交換器の前面部に設けられた端板の切欠きとが係合し、筐体の左側面部で熱交換器が固定されたものがある（例えば、特許文献１）。
【先行技術文献】
【特許文献】
【０００３】
【特許文献１】実開平５−３８２２号公報（要約、図２）
【発明の概要】
【発明が解決しようとする課題】
【０００４】
特許文献１の室外機では、室外機を構成する筐体の左側面部に設けられた起立片と、Ｌ字型の熱交換器の前面部に設けられた端板の切欠きとを係合し、筐体の左側面部で熱交換器が固定する構成を採用している。そのため、熱交換器の端板を固定するための丸孔等を筐体の左側面部に設ける必要がある。この場合には、左側面部において丸孔等を設ける面積を確保するため、その近傍に通風孔を設けることが困難となる。したがって、左側面部全体における、通風孔（吸入口）を設けることが可能な面積には限界があり、熱交換効率が低下するという課題が生じていた。
【０００５】
本発明は、上述のような課題を解決するためになされたものであり、室外機内に設けられる熱交換器の熱交換効率を高くすることを可能にした、空気調和機の室外機を提供することを目的とする。
【課題を解決するための手段】
【０００６】
本発明の空気調和機の室外機は、略直方体の筐体と、略Ｌ字型に形成され、前記筐体の一方の側面部の内側及び前記筐体の背面部の内側に沿って配設された熱交換器と、前記熱交換器を前記筐体に固定する固定具とを備え、前記筐体は、当該筐体の一方の側面部を構成するとともに、当該筐体の前面部側に一部が延びた側面パネルと、当該筐体の前面部を前記側面パネルの一部とともに構成する前面パネルと、を備え、前記前面パネルは、その端部が前記筐体の前面部側において前記側面パネルの端部と結合され、前記側面パネルは、その前記一方の側面部を構成する部分に複数の吸入口が形成され、前記固定具は、前記熱交換器を前記前面パネルに固定し、前記複数の吸入口のうち、最も前記前面部側に設けられた吸入口の前側端部は、複数の前記熱交換器の中で最も前記前面部側に位置する熱交換器の前記前面部側の端部の位置よりも、側面視において前記前面部側に設けられるものである。
【発明の効果】
【０００７】
本発明の空気調和機の室外機は、前面パネルの端部が筐体の前面部側において前記側面パネルの端部と結合されている。また、固定具が、前面パネルの端部と側面パネルの端部との結合部分と、熱交換器の前面部側の端部との間に介在し、熱交換器を前面パネルに固定している。そのため、側面パネルに形成される吸入口の面積を従来に比べて大きくすることができ、熱交換効率が高くなるという効果を有する。
【図面の簡単な説明】
【０００８】
【図１】本発明の実施の形態１に係る空気調和機の室外機の正面左側から見た斜視図である。
【図２】本発明の実施の形態１に係る空気調和機の室外機の背面左側から見た斜視図である。
【図３】本発明の実施の形態１に係る筐体の上面パネルを取り外した状態の平面図である。
【図４】本発明の実施の形態１に係る筐体の上面パネルを取り外した状態の平面図であり、図３の変形例である。
【図５】本発明の実施の形態２に係る空気調和機の室外機の正面左側から見た斜視図である。
【図６】本発明の実施の形態２に係る筐体の上面パネルを取り外した状態の平面図である。
【発明を実施するための形態】
【０００９】
実施の形態１．
図１は、本発明の実施の形態１に係る空気調和機の室外機の正面左側から見た斜視図である。図２は、本発明の実施の形態１に係る空気調和機の室外機の背面左側から見た斜視図である。
図１及び図２に示されるように、室外機１の筐体１Ａは、前面左側パネル２、前面右側パネル３、左側面パネル４、背面左側パネル５、背面右側パネル６、上面パネル７、底面パネル（図示せず）から構成される。
左側面パネル４は、筐体１Ａの左側面部を構成するとともに、筐体１Ａの前面部側に一部が延びて構成されている。前面左側パネル２は、筐体１Ａの前面部を側面パネルの一部とともに構成している。前面左側パネル２は、その端部が筐体１Ａの前面部側において左側面パネル４の端部と結合されている（その詳細は後述の図３参照）。左側面パネル４には、筐体１Ａの側面部を構成する部分に複数の吸入口１１ａが形成されている。背面左側パネル５と、背面右側パネル６は、筐体１Ａの背面部を構成している。背面右側パネル６は、筐体１Ａの背面部の一部と筐体１Ａの右側面部を構成するように形成されている。
【００１０】
図３は、本発明の実施の形態１に係る筐体の上面パネルを取り外した状態の平面図である。
図３に示されるように、筐体１Ａには熱交換器１２ａ、１２ｂが収納されており、熱交換器１２ａ、１２ｂは、略Ｌ字型に形成され、筐体１Ａの背面側及び左側面側に沿って配設されている。熱交換器１２ａ、１２ｂは、例えばバンドで相互に固定されている。熱交換器１２ｂの端部（筐体１Ａの前面方向）は、熱交換器１２ａの端部（筐体１Ａの前面方向）よりも筐体１Ａの前面方向に端部が位置している。
熱交換器１２ｂは、板金１３を介して前面左側パネル２に固定されている。板金１３は、筐体１Ａの前面部側に位置する第１の端部１３ａと、筐体１Ａの背面部側に位置する第２の端部１３ｂを備えている。第１の端部１３ａは、筐体１Ａの前面部で固定される。第２の端部１３ｂは、熱交換器１２ｂの端部（筐体１Ａの前面方向）で固定される。
第１の位置１５は、左側面パネル４の端部（筐体１Ａの前面部の一部をなす端部）と、前面左側パネル２の端部（筐体１Ａの左側面方向）とが結合される位置を示す。第２の位置１６は、第１の端部１３ａが筐体１Ａの前面部で固定される位置を示し、平面視において第１の位置１５とほぼ同じ位置にあり、高さ方向において異なっている。なお、左側面パネル４の端部と前面左側パネル２との端部の結合については、これらの端部が重複しており、その重複する領域において結合する構成となっている。
【００１１】
図４は、本発明の実施の形態１に係る筐体の上面パネルを取り外した状態の平面図であり、図３の変形例を示す。
図４では、図３に示された熱交換器１２ａ、１２ｂに加え、熱交換器１２ｂの内側に熱交換器１２ｃを追加して配置したものである。熱交換器１２ｃの端部（筐体１Ａの前面方向）は、熱交換器１２ｂの端部（筐体１Ａの前面方向）よりも筐体１Ａの前面側に配置されている。
図４に示されるように、熱交換器１２ｃを固定するための板金１４は、図３の板金１３とは異なった形状のものが採用されている。図３では熱交換器１２ｂと第２の端部１３ｂが固定されているのに対し、図４では熱交換器１２ｃと第２の端部１４ｂが固定されている点で相違する。なお、図４における第１の端部１４ａは、図３における第１の端部１３ａと同一の位置で固定される（第２の位置１６）。
【００１２】
以上のように、本実施の形態１に係る空気調和機の室外機は、前面左側パネル２と左側面パネル４とを筐体１Ａの前面部の第１の位置１５で結合している。また、端部１３ａ（端部１４ａ）が平面視において第１の位置１５とほぼ同じ位置である第２の位置１６で、熱交換器１２ｂ（熱交換器１２ｃ）を前面左側パネル２に固定している。つまり、熱交換器１２ｂ（熱交換器１２ｃ）が筐体の左側面部ではなく、筐体１Ａの前面部の結合部分で固定される構成としている。そのため、左側面パネル４に吸入口１１ａを設けることを阻害する部品等がなくなり、従来よりも吸入口を設ける面積を大きくすることができ、熱交換効率の向上を図ることができる。また、熱交換器１２ｂ（熱交換器１２ｃ）を筐体１Ａの前面部で固定される構成としているので、熱交換器１２ｂ（熱交換器１２ｃ）を室外機１の前面方向に延ばすことができ、左側面パネル４の複数の吸入口１１ａから筐体１Ａの内部に入った空気と熱交換器１２ａ〜１２ｃの熱交換効率を上げることができる。
【００１３】
また、本発明の実施の形態１に係る空気調和機の室外機１は、板金１３（板金１４）の形状を変更することで、熱交換器の数によらず、筐体１Ａの前面部の同一の位置で固定することができる。つまり、筐体１Ａに収納される熱交換器の数によらず、同一の形状の筐体１Ａを用いることができる。
【００１４】
なお、本発明の実施の形態１では、熱交換器の数は、２つ又は３つ配置する構成としたが、熱交換器の数はこれに限定されない。
【００１５】
また、本発明の実施の形態１では、本発明の固定具として上記の板金１３（板金１４）の例について説明したが、これらの形状に限定されるものではなく、必要に応じて適宜変形される。
【００１６】
また、本発明の実施の形態１では、左側面パネル４は、筐体１Ａの左側面部を構成するとともに筐体１Ａの前面部側に一部が延びた構成としているが、本発明はこれに限定されない。例えば、筐体１Ａの左側面部を構成するとともに筐体１Ａの前面部側に一部が延びた構成とし、さらに筐体１Ａの背面部の少なくとも一部とを構成するように、略コの字状に左側面パネル４を構成してもよい。この場合には、部品点数を削減し、組立手順を簡素化することができる。
【００１７】
また、本発明の実施の形態１では、吸入口１１ａの形状を図１に示されるように形成しているが、これに限定されず、吸入口１１ａの形状を適宜決定してよい。
【００１８】
また、本発明の実施の形態１では、最も筐体１Ａの前面部側に設けられた吸入口１１ａの前側端部は、熱交換器１２ｂ（熱交換器１２ｃ）の端部（筐体１Ａの前面方向）よりも、側面視において筐体１Ａの前面部側に設けられる構成としてもよい。このように構成すれば、熱交換器１２ａ〜１２ｃの熱交換効率をさらに向上させることができる。
【００１９】
実施の形態２．
図５は、本発明の実施の形態２に係る空気調和機の室外機の正面左側から見た斜視図である。本実施の形態２では、上記の実施の形態１とは異なり、筐体１Ａの左側面部に、左側面前側パネル８と左側面後側パネル９とが間隔をあけて設けられている。なお、左側面前側パネル８は本発明の第１の側面パネルに相当し、左側面後側パネル９は本発明の第２の側面パネルに相当する。
左側面前側パネル８は、筐体１Ａの左側面部の一部を構成するとともに、筐体１Ａの前面部側に一部が延びるように構成されている。左側面後側パネル９は、左側面前側パネル８よりも筐体１Ａの後方側に配設され、筐体１Ａの左側面部の一部を構成している。
前面左側パネル２は、その端部が筐体１Ａの前面部側において左側面前側パネル８の端部と結合されている。その結合方法は図４の例と同じである。左側面前側パネル８及び左側面後側パネル９には、複数の吸入口１１ａが設けられている。また、左側面前側パネル８と、左側面後側パネル９との間には開口部が設けられており、この開口部が吸入口１１ｂを形成している。
【００２０】
図６は、図５の室外機の上面パネルを取り外した状態の平面図である。図４では、筐体１Ａの左側面部を左側面パネル４で構成したが、図６では、左側面前側パネル８及び左側面後側パネル９の２個の部材で構成している点で相違する。その他の構成は、図４と同じ構成である。
【００２１】
以上のように、本実施の形態２に係る空気調和機の室外機は、筐体１Ａの左側面部に左側面前側パネル８と左側面後側パネル９とを配置し、左側面前側パネル８及び左側面後側パネル９に吸入口１１ａを形成するとともに、左側面前側パネル８と左側面後側パネル９との間に吸入口１１ｂを形成するようにした。このため、本実施の形態２に係る空気調和機の室外機は、上記の実施の形態１に係る空気調和機の室外機に比べ、筐体１Ａの左側面部から筐体１Ａの内部に流入する空気が多くなり、熱交換効率を更に高くすることが出来る。
【符号の説明】
【００２２】
１  室外機、１Ａ  筐体、２  前面左側パネル、３  前面右側パネル、４  左側面パネル、５  背面左側パネル、６  背面右側パネル、７  上面パネル、８  左側面前側パネル、９  左側面後側パネル、１１ａ、１１ｂ  吸入口、１２ａ、１２ｂ、１２ｃ  熱交換器、１３、１４  板金、１３ａ、１４ａ  第１の端部、１３ｂ、１４ｂ  第２の端部、１５  第１の位置、１６  第２の位置。
【図１】
0005535170.tif 000002
【図２】
0005535170.tif 000003
【図３】
0005535170.tif 000004
【図４】
0005535170.tif 000005
【図５】
0005535170.tif 000006
【図６】
0005535170.tif 000007